(57)【要約】【課題】他の熱源を使用することなく、浴室の暖房及び／又は乾燥や床暖房等の暖房を行うことができるようにした給湯暖房システムを提供すること。【解決手段】電気温水器より浴槽１０へ給湯するようにするとともに、電気温水器のタンク１内の上部に設置した暖房用熱交換器４１と室内に設置した暖房機４２間を、前記熱交換器４１内にて加熱された温水が、循環用ポンプ４６により循環する暖房用回路を設けた給湯暖房システムにおいて、暖房用回路に膨張タンク４５を配設するとともに、この膨張タンク４５への補給水を電気温水器の給水又は給湯配管から分岐して取り入れるように補給水配管４９を構成し、この補給水配管４９に膨張タンク４５の水位に応じて自動的に開閉する開閉弁５０を配設する。【選択図】　図１
2004100997.tif 000002
【特許請求の範囲】
【請求項１】
電気温水器より浴槽へ給湯するようにするとともに、前記電気温水器のタンク内の上部に設置した暖房用熱交換器と室内に設置した暖房機間を、前記熱交換器内にて加熱された温水が、循環用ポンプにより循環する暖房用回路を設けた給湯暖房システムにおいて、前記暖房用回路に膨張タンクを配設するとともに、該膨張タンクへの補給水を電気温水器の給水又は給湯配管から分岐して取り入れるように補給水配管を構成し、該補給水配管に膨張タンクの水位に応じて自動的に開閉する開閉弁を配設したことを特徴とする給湯暖房システム。
【請求項２】
暖房用熱交換器と浴槽内の湯の追い焚き用熱交換器を、それぞれ巻き径の異なる螺旋状に形成し、電気温水器のタンク内の上部に並列に設置したことを特徴とする請求項１記載の給湯暖房システム。
【請求項３】
暖房用熱交換器の巻き径を、浴槽内の湯の追い焚き用熱交換器の巻き径より小さく形成し、暖房用熱交換器の外周に浴槽内の湯の追い焚き用熱交換器を配設したことを特徴とする請求項２記載の給湯暖房システム。
【請求項４】
深夜電力時間帯の終了時刻前より暖房機による暖房を行うことで、蓄熱を行うようにしたことを特徴とする請求項１、２又は３記載の給湯暖房システム。
【発明の詳細な説明】
【０００１】
【発明の属する技術分野】
本発明は、給湯暖房システムに関し、特に、浴槽への給湯機能を備えた給湯装置の電気温水器を熱源として利用し、他の熱源を使用することなく、浴室の暖房及び／又は乾燥や床暖房等の暖房を行うことができる給湯暖房システムに関するものである。
【０００２】
【従来の技術】
従来、集合住宅や一般の戸建て住宅などにおいて、浴槽内への給湯に温水ボイラーや深夜電気を利用した電気温水器が汎用されており、電気温水器のタンク内に貯湯されている所定温度の温水を、浴槽の給湯口や蛇口から供給するようにし、また、必要に応じて追い焚きを可能とするため、追い焚き用熱交換器をタンク内に配設している。
【０００３】
ところで、例えば、浴室内の暖房及び／又は乾燥をする場合、一般には浴槽内への給湯装置の熱源と別にした浴室暖房乾燥機を浴室内に設置している。
この浴室暖房乾燥機としては、浴室暖房乾燥機に内蔵する電気式ヒータにて加熱した空気を送風機にて浴室内に送風するようにした電気ヒータ方式、浴室暖房乾燥機に内蔵する空気熱交換器に、ガス、石油等を燃料としたボイラーによって生成した温水を供給し、浴室内の空気を熱交換器にて加熱するようにしたボイラー温水方式等が採用されている。
【０００４】
【発明が解決しようとする課題】
しかしながら、上記従来の浴室暖房乾燥機では、給湯装置の熱源があるにもかかわらずこれとは別個に、浴室暖房乾燥用熱源として新たに電気或いはガスを必要とし、設備費及びランニングコストが高くなるという問題を有していた。
また、ボイラー温水方式においては、暖房能力を大きくとれるが、運転開始直後の温度上昇特性が悪く、運転開始をするには温水が生成されるまでの時間を要し、さらには浴室内の温度制御を行う際、ボイラーの燃焼の運転、停止が繰り返えされるため、燃焼の際のロスが大きいという問題があった。
さらに、電気ヒータ方式においては、電気ヒータによる暖房運転のため、温度上昇特性はボイラー温水方式に比べて良いが、ヒータ容量に限界があるため、暖房能力に限界があり、能力不足になることがあるとともに、電気代がかかり、ボイラー温水方式に比べランニングコストが大きくなるという問題があった。
【０００５】
また、床暖房等を行う暖房機においても、同様の問題があった。
【０００６】
本発明は、上記従来の浴室暖房乾燥機、床暖房機等の暖房機が有する問題点に鑑み、他の熱源を使用することなく、浴室の暖房及び／又は乾燥や床暖房等の暖房を行うことができるようにした給湯暖房システムを提供することを目的とする。
【０００７】
【課題を解決するための手段】
上記目的を達成するため、本発明の給湯暖房システムは、電気温水器より浴槽へ給湯するようにするとともに、前記電気温水器のタンク内の上部に設置した暖房用熱交換器と室内に設置した暖房機間を、前記熱交換器内にて加熱された温水が、循環用ポンプにより循環する暖房用回路を設けた給湯暖房システムにおいて、前記暖房用回路に膨張タンクを配設するとともに、該膨張タンクへの補給水を電気温水器の給水又は給湯配管から分岐して取り入れるように補給水配管を構成し、該補給水配管に膨張タンクの水位に応じて自動的に開閉する開閉弁を配設したことを特徴とする。
【０００８】
この給湯暖房システムは、電気温水器のタンク内に暖房用熱交換器を設置し、電気温水器を熱源機として暖房用熱交換器にて生成した温水を、室内に設置した暖房機に供給して暖房機の熱交換器によって暖房（及び／又は乾燥）を行うようにしているから、室内の暖房（及び／又は乾燥）を行うために新たな熱源を必要とせず、設備費及びランニングコストの低廉化を図ることができる。
また、運転開始時においては、タンク内に設置した熱交換機内に、すでに加熱された温水が停滞しているため、短時間で室内に設置した暖房機へ加熱された温水を供給でき、温度上昇特性が優れているとともに、ボイラー温水方式のように燃焼機を必要としないため、室内の温度制御を行う際においても燃焼の運転、停止が繰り返されることによる燃焼の際のロスがなく、暖房能力を大きくとることができる。
また、暖房用回路に配設した膨張タンクによって、温度変化による循環水の体積の膨張、収縮を吸収することができるので、暖房用回路内の水量を一定に保つことができ、暖房用熱交換器と室内に設置した暖房機間で温水を安定して循環させることができる。
さらに、膨張タンクへの補給水を電気温水器の給水又は給湯配管から分岐して取り入れるように補給水配管を構成し、補給水配管に膨張タンクの水位に応じて自動的に開閉する開閉弁を配設するようにしているので、循環水量が減少した場合においても、循環水を補給することができ、メンテナンスの簡易化を図ることができる。
【０００９】
この場合において、暖房用熱交換器と浴槽内の湯の追い焚き用熱交換器を、それぞれ巻き径の異なる螺旋状に形成し、電気温水器のタンク内の上部に並列に設置することができる。
【００１０】
これにより、電気温水器のタンク内の上部空間を有効に利用することができ、上部ヒータにて電気温水器のタンク内を再加熱する際の加熱湯量を少なくでき、エネルギコストを低減することができる。
【００１１】
また、暖房用熱交換器の巻き径を、浴槽内の湯の追い焚き用熱交換器の巻き径より小さく形成し、暖房用熱交換器の外周に浴槽内の湯の追い焚き用熱交換器を配設することができる。
【００１２】
これにより、大きな熱量を必要とする浴槽内の湯の追い焚き用熱交換器と、比較的小さな熱量しか必要としない暖房用熱交換器との熱量のバランスを容易にとることができる。
【００１３】
さらに、深夜電力時間帯の終了時刻前より暖房機による暖房を行うことで、蓄熱を行うようにすることができる。
【００１４】
これにより、安価な深夜電力を用いて、電気温水器と、例えば、床面の構成材料に蓄熱し、効率のよい暖房を実現することができる。
【００１５】
【発明の実施の形態】
以下、本発明の給湯暖房システムの実施の形態を図面に基づいて説明する。
【００１６】
図１〜図２に、給湯装置の電気温水器を、浴室暖房乾燥用熱源として利用するようにした本発明の給湯暖房システムの第１実施例を示す。
一般に、給湯装置としての電気温水器は、図１に示すように、所要の貯湯容量を有する円筒状のタンク１と、タンク１の上部と下部に設置され、タンク１内の水を設定温度まで加温するための上部ヒータ２及び下部ヒータ３と、また必要に応じて上部ヒータ２の上方に配設され、浴槽１０から供給される水をタンク１内に貯留された温水により加温するようにした追い焚き用熱交換器４とを備えている。
【００１７】
また、電気温水器のタンク１には、その底部位置に給水管５、上部位置に出湯管６を設けて、給水管５から給水することによりタンク１内の湯を押し上げるようにして、配管６から出湯するようにしている。
なお、給水管５には、減圧逆止弁１１及びバキュームブレーカ１１ａを介して水道管Ｓが接続されており、自動的或いは手動的に電気温水器のタンクへの給水を可能としている。
【００１８】
一方、追い焚き用熱交換器４は、タンク１内の貯湯と効率的に熱交換されるようタンク１の径よりも小径の螺旋状に形成するとともに、この熱交換器４を、タンク１内の中央部に配設するようにして、これにより、タンク１内に貯留された温水の対流と循環が良好に維持され、熱交換器４による熱交換を効率よく、かつ、確実に行うことができるようにする。
また、タンク１の胴部には、その取付位置を上下方向に変えて複数の温度センサ３４，３５，３６を取り付け、この温度センサ３４，３５，３６によって、タンク内温水温度の低下を迅速、かつ、正確に検知することができ、必要に応じて上部ヒータ２及び／又は下部ヒータ３による追加的な加熱を適切に実施することができるようにする。
【００１９】
さらに、電気温水器のタンク１には、２本の配管６、９を介して浴槽１０に接続し、該２本の配管６、９のうち一方の配管６（以下、「温水側配管６」という。）を介して浴槽１０にタンク１の温水を、他方の配管９（以下、「水道水側配管９」という。）を介して浴槽１０に水道水を、それぞれ供給するようになっている。
【００２０】
温水側配管６は、逃し弁３０の配管と分岐した配管６１を形成し、この配管６１の温水は、熱交換器４の配管８との合流部Ｔ２を経て、配管６３、６４を介して浴槽１０に供給されるようにする。
また、水道水側配管９は、減圧逆止弁１１の下流で水道管Ｓから分岐され、この水道水側配管９の水は、熱交換器４の配管７との合流部Ｔ１を経て、配管９１を介して浴槽１０に供給されるようにする。
【００２１】
また、温水側配管６１の合流部Ｔ２の上流側には、ソレノイドバルブ１９、流量センサ２０及び逆止弁２１を備えた制御手段２２が設けられるとともに、水道水側配管９の合流部Ｔ１の上流側には、同じ構成からなる制御手段２３が設けられている。
なお、制御手段２３の上流側と下流側には、それぞれ温度センサ３１，３２が配設されている。
これらの制御手段２２、２３は、温水側配管６から電気温水器の温水を、水道管Ｓから水道水を、それぞれ浴槽１０に供給するに際し、浴槽１０に供給される温水及び水道水の温度に基づいて、電気温水器の温水及び水道水の水量を調節し、浴槽１０の湯の温度及び湯量を適正に制御するもので、これにより給湯速度を上げて給湯時間を大幅に短縮することができる。
【００２２】
この場合、温水側配管６３と水道水側配管９１とを、逆止弁２５を備えた接続管２４により接続し、少なくとも水道水の一部を、電気温水器の温水と共に、温水側配管６４を介して浴槽１０に供給するようにしている。
これにより、温水側配管６４で高温の温水に水道水を混合し、温水の温度を下げることによって、水道水側配管９２からの水道水と温度ムラのできにくい状態で浴槽１０に給湯することができる。
【００２３】
また、前記制御手段２２、２３は、浴槽１０の湯量が設定した量に近づいたとき、浴槽１０への水道水の供給を停止し、電気温水器の温水のみを供給するように構成されている。
これにより、浴槽１０の底部に滞留している低温の湯を最後に供給した温水の対流により撹拌して、浴槽１０内の湯の温度を均一にすることができる。
【００２４】
さらに、浴槽１０に接続した温水側配管６３を合流部Ｔ２で熱交換器４の配管８に接続するとともに、水道水側配管９１を合流部Ｔ１で熱交換器４の配管７に接続し、これにより、熱交換器４に浴槽１０内の湯を循環させ、浴槽１０内の湯の追い焚きを可能とし、これにより特に、深夜電力を利用する電気温水器を使用する場合には、低コストの深夜電力の利用を促進することができる。
【００２５】
そして、本実施例では、熱交換器４から延びる２本の配管７、８をアダプタ３３を介して浴槽１０に接続しており、これにより、熱交換器４に浴槽１０内の湯を循環させ、浴槽１０内の湯の追い焚きができるようになっている。
また、熱交換器４の配管７には、その途中に混合弁１８を接続し、この混合弁１８と配管９１の合流部Ｔ１との間の配管７に水位センサ１２、ストレーナ１３、温度センサ１４、循環ポンプ１５、ソレノイドバルブ１６及び逆止弁１７がそれぞれ上流側から順に配設されており、水位センサ１２と温度センサ１４で浴槽１０の水位と温度を検出するとともに、循環ポンプ１５によって浴槽１０内の湯を吸い上げ、熱交換器４に浴槽１０内の湯を循環させるようになっている。
【００２６】
また、水道水側配管９の制御手段２３の上流側で水道水側配管９３を分岐するとともに、温水側配管６１の制御手段２２の上流側で温水側配管６２を分岐し、これら分岐した水道水側配管９３と温水側配管６２とを混合弁２６で接続することにより、温度センサ２７と流量センサ２８を備えた他の配管経路２９を形成している。
この配管経路２９では、設定された温度に基づいて、電気温水器の温水と水道水の水量を調節し、配管経路２９を経て供給される湯の水温を制御することができる。
【００２７】
以上、電気温水器を備えた給湯装置の一実施例について説明したが、本発明の給湯装置としては、特にこれに限定されるものではなく、貯湯式の温水タンクであれば利用することができるとともに、さらに本発明においては、貯湯式のタンクに、給湯暖房システムを接続するものである。
【００２８】
ところで、この給湯暖房システムにおいては、タンク１内上部に配設した追い焚き用熱交換器４と別個に、独立して配設した暖房用熱交換器（浴室暖房乾燥用熱交換器）４１と、浴室内に配設した暖房機（浴室暖房乾燥機）４２と、暖房用熱交換器４１、暖房機４２間を温水が循環するように配管した暖房側配管４３，４４と、この一方の暖房側配管４３に接続された開放型の膨張タンク４５及び循環ポンプ４６等より構成する。
【００２９】
この暖房用熱交換器４１は、熱交換器４と同様に螺旋状とし、かつ熱交換器４の径よりも小径とし、これにより熱交換器４１を熱交換器４の内周側に、同心的に配設するようにする。
これにより同一のタンク内で、２つの熱交換器４，４１で同時に熱交換による水又は温水の加熱を行うようにする。
そして、特に限定されるものではないが、熱交換器４の内周側に暖房用熱交換器４１を、それぞれ螺旋状に配設することにより、大きな熱量を必要とする浴槽１０内の湯の追い焚き用熱交換器４と、比較的小さな熱量しか必要としない暖房用熱交換器４１との熱量のバランスを容易にとることができるものとなる。
ただし、この熱交換器４１と熱交換器４との配置関係は、同心的の内外周に配置する実施例に限定されるものではなく、タンク１内の上部と下部の上下位置となるように配設することも可能で、これら２つの熱交換器の構成及び配置は、これに限定されるものではない。
【００３０】
また、膨張タンク４５には、上限用レベルセンサ４７ａ及び下限用レベルセンサ４７ｂと、オーバフロー管４８を備え、水道管Ｓより分岐した補給水配管４９を接続し、補給水配管４９に接続した開閉弁（給水電磁弁）５０により熱交換器４１、暖房機４２間を循環する水量が、その温度変化により体積が膨張又は収縮しても、水量が常に一定量となるように膨張タンク４５内にて吸収させるとともに、循環水量が減少した場合においても、下限用レベルセンサ４７ｂの検知により開閉弁５０にて循環水を補給することができ、これにより、安定して温水が暖房用熱交換器４１と暖房機４２間を循環するようにすることができる。
なお、暖房機４２には制御装置５１を備え、この制御装置５１にて暖房機４２の運転又は運転停止を行うようにする。
また、暖房側配管４３，４４には点検時等において、配管４３，４４内の排水を簡易に、確実に行えるように排水コック５２，５３を備えるとともに、暖房側配管４３，４４の適宜箇所に、凍結防止用温度センサ５４を配設するようにする。
【００３１】
次に、この給湯装置の電気温水器を熱源として用いた給湯暖房システムの作用について説明する。
冬季などにおいて、入浴に際し、浴室内を暖房する場合、或いは浴室内の乾燥又は浴室内に干した洗濯物を乾燥する場合、暖房機４２を運転して行う。通常は、給湯暖房システムの開閉弁５０は閉じられているので、タンク１内に配設された暖房用熱交換器４１内の水はタンク１内の湯との熱交換にて加温されており、この状態で循環用ポンプ４６を駆動することにより、熱交換器４１内で熱交換にて加熱された温水が、熱交換器４１と暖房機４２との間を、暖房側配管４３，４４を介して循環することとなる。そして、暖房機４２内には熱交換器４２ａと送風機４２ｂとが配設されているので、暖房機４２内で空気は熱交換され、温風となって浴室内へ吹き出され、浴室内の暖房及び／又は乾燥を行うことができる。
【００３２】
なお、この場合、暖房用循環水は、熱交換器４１内を通過する際、加熱されて、その加熱温度により体積が膨張したり、また反対に循環水の温度が低下することにより体積が収縮したりする。これにより、密閉された暖房側配管４３，４４内にて、循環水の体積が変化する。この体積の変化時、暖房側配管４３に配設された膨張タンク４５にて、循環水の体積変化を吸収するようになって、循環配管内においては、常に一定の循環水量が保たれ、これにより安定した循環が行われて、浴室内の暖房及び／又は乾燥を行うものとなる。
【００３３】
このように、電気温水器のタンク内に暖房機のシステム配管内の水を加熱するための熱交換器を配設し、該熱交換器にて生成した温水を暖房機に供給して、暖房機内の空気熱交換器によって暖房、乾燥を行う方式のため、特に運転開始時においては、該熱交換機内に、すでに加熱された温水が停滞しているため、短時間で暖房機へ加熱された温水が供給でき、温度上昇特性に優れており、また、ボイラー温水方式のように燃焼機を必要としないため、浴室内の温度制御を行う際においても燃焼の運転、停止が繰り返されることによる燃焼の際のロスがなくなる。
ボイラー温水方式と同様に暖房機に温水を供給する方式のため、電気ヒータ式よりも暖房能力を大きくとれ、ボイラー温水方式と同等の能力を確保することができ、さらに電気ヒータ式、ボイラー温水方式と異なり、深夜電力を使用して蓄えた温水を利用できることから、電気ヒータ式、ボイラー温水方式に比べ、ランニングコストの低減が図られる。
【００３４】
図３に、給湯装置の電気温水器を、床暖房用熱源として利用するようにした本発明の給湯暖房システムの第２実施例を示す。
【００３５】
この給湯暖房システムにおいては、タンク１内上部に配設した追い焚き用熱交換器４と別個に、独立して配設した暖房用熱交換器（床暖房用熱交換器）４１と、居室内に床面内部に敷設した暖房機（床暖房機）４２と、暖房用熱交換器４１、暖房機４２間を温水が循環するように配管した暖房側配管４３，４４と、この一方の暖房側配管４３に接続された開放型の膨張タンク４５及び循環ポンプ４６等より構成する。
【００３６】
そして、この給湯暖房システムにおいては、暖房側配管（戻り側）４３から分岐したバイパス配管５６を、暖房用熱交換器４１からの暖房側配管（往き側）４４に配設した混合弁５５に接続するようにする。
また、混合弁５５を配設した暖房側配管（往き側）４４の下流側に、混合弁制御用温度センサ５７を、暖房機４２の近傍位置の暖房側配管（戻り側）４３（又は床面）に床面温度センサ５８を、それぞれ配設するようにする。
【００３７】
次に、この給湯装置の電気温水器を熱源として用いた給湯暖房システムの作用について説明する。
床暖房運転の開始時は、混合弁５５によってバイパス配管５６を閉止させることで、電気温水器のタンク１内に配設した暖房用熱交換器４１で加熱した高温の温水を、居室内の床面内部に敷設した暖房機４２の熱交換器４２ａに供給し、床面温度が短時間で所定の温度に達するように運転する。
この際、床面温度センサ５８によって、暖房側配管（戻り側）４３の水温（又は床面の温度）を測定し、水温（又は床面の温度）が設定温度まで上昇した後は、設定温度を維持するように、混合弁５５によってバイパス配管５６にバイパスさせる水量を調節し、暖房機４２の熱交換器４２ａに供給する温水の温度を制御したり、さらに、必要に応じて、循環ポンプ４６の駆動状態（循環ポンプ４６の回転数又はＯＮ、ＯＦＦ）を制御する。
ここで、床暖房の使用に際しては、深夜の沸き上げ時間内に床暖房を使用するケースも想定されることから、床暖房を使用している場合においても、電気温水器の沸き上げ終了時刻には、電気温水器のタンク１内に貯留されている湯が確実に沸き上がるように、タンク１内に配設するヒータ２，３の容量は、通常よりも大容量のものを用いることが望ましい。
なお、床面の構成材料が蓄熱材としての機能を奏することから、深夜の沸き上げ時間内に電気温水器の沸き上げ終了時刻を予測し、床暖房の負荷を加味した上で、深夜電力時間帯の終了時刻の数時間前より床暖房を行うことで、安価な深夜電力を用いて、電気温水器のタンク１内と床面の構成材料への蓄熱を行い、効率のよい床暖房を実現することができる。
【００３８】
なお、この給湯暖房システムのその他の構成及び作用は、上記第１実施例の給湯暖房システムと同様である。
【００３９】
以上、本発明の給湯暖房システムについて、その実施例に基づいて説明したが、本発明は上記実施例に記載した構成に限定されるものではなく、その趣旨を逸脱しない範囲において適宜その構成を変更することができるものであり、また、その適用対象も、上記実施例の浴室暖房乾燥機や床暖房機以外の暖房機を含むものである。
【００４０】
【発明の効果】
本発明の給湯暖房システムによれば、電気温水器のタンク内に暖房用熱交換器を設置し、電気温水器を熱源機として暖房用熱交換器にて生成した温水を、室内に設置した暖房機に供給して暖房機の熱交換器によって暖房（及び／又は乾燥）を行うようにしているから、室内の暖房（及び／又は乾燥）を行うために新たな熱源を必要とせず、設備費及びランニングコストの低廉化を図ることができる。
また、運転開始時においては、タンク内に設置した熱交換機内に、すでに加熱された温水が停滞しているため、短時間で室内に設置した暖房機へ加熱された温水を供給でき、温度上昇特性が優れているとともに、ボイラー温水方式のように燃焼機を必要としないため、室内の温度制御を行う際においても燃焼の運転、停止が繰り返されることによる燃焼の際のロスがなく、暖房能力を大きくとることができる。
また、暖房用回路に配設した膨張タンクによって、温度変化による循環水の体積の膨張、収縮を吸収することができるので、暖房用回路内の水量を一定に保つことができ、暖房用熱交換器と室内に設置した暖房機間で温水を安定して循環させることができる。
さらに、膨張タンクへの補給水を電気温水器の給水又は給湯配管から分岐して取り入れるように補給水配管を構成し、補給水配管に膨張タンクの水位に応じて自動的に開閉する開閉弁を配設するようにしているので、循環水量が減少した場合においても、循環水を補給することができ、メンテナンスの簡易化を図ることができる。
【００４１】
また、暖房用熱交換器と浴槽内の湯の追い焚き用熱交換器を、それぞれ巻き径の異なる螺旋状に形成し、電気温水器のタンク内の上部に並列に設置することにより、電気温水器のタンク内の上部空間を有効に利用することができ、上部ヒータにて電気温水器のタンク内を再加熱する際の加熱湯量を少なくでき、エネルギコストを低減することができる。
【００４２】
また、暖房用熱交換器の巻き径を、浴槽内の湯の追い焚き用熱交換器の巻き径より小さく形成し、暖房用熱交換器の外周に浴槽内の湯の追い焚き用熱交換器を配設することにより、大きな熱量を必要とする浴槽内の湯の追い焚き用熱交換器と、比較的小さな熱量しか必要としない暖房用熱交換器との熱量のバランスを容易にとることができる。
【００４３】
さらに、深夜電力時間帯の終了時刻前より暖房機による暖房を行うことで、蓄熱を行うようにすることにより、安価な深夜電力を用いて、電気温水器と、例えば、床面の構成材料に蓄熱し、効率のよい暖房を実現することができる。
【図面の簡単な説明】
【図１】本発明の給湯暖房システムの第１実施例を示す概略構造図である。
【図２】本発明の給湯暖房システムに用いる電気温水器を示し、（Ａ）は断面図、（Ｂ）は電気温水器のタンク内に配設された熱交換器の正面図である。
【図３】本発明の給湯暖房システムの第２実施例を示す概略構造図である。
【符号の説明】
１　　電気温水器のタンク
２　　上部ヒータ
３　　下部ヒータ
４　　熱交換器
５　　給水管
６　　温水側配管
７　　熱交換器の配管
８　　熱交換器の配管
９　　水道水側配管
１０　浴槽
４１　暖房用熱交換器（浴室暖房乾燥用熱交換器、床暖房用熱交換器）
４２　暖房機（浴室暖房乾燥機、床暖房機）
４３　暖房側配管
４４　暖房側配管
４５　膨張タンク
４６　循環用ポンプ
４７ａ　上限用レベルセンサ
４７ｂ　下限用レベルセンサ
４８　オーバフロー管
４９　補給水配管
５０　開閉弁（給水電磁弁）
５１　制御装置
【図１】
2004100997.tif 000003
【図２】
2004100997.tif 000004
【図３】
2004100997.tif 000005